(57)【要約】【目的】いろいろな屋根材に使い回しすることができる雪止め具を提供する。【構成】左雪止め体１ａと右雪止め体１ｂとは、それぞれ、底面１２と、その両側が立ち上げられていて、底部１２をはさんで軒側と棟側となる起立面１１とから形成されていて、上方に開口する形状をしており、底面１２には、一側から延出された固定部１２ａが設けられており、各起立面１１・１１には穴１３があけられており、左右の雪止め体１ａ・１ｂが、固定部１２ａを外側方向にして、それぞれの軒側となる起立面１１・１１同士及び棟側となる起立面１１・１１同士が当接され、穴１３・１３同士も合わせられており、その穴１３・１３に挿入されたボルト２と、ナット３を介して組み合わせられて成る雪止め具１を用いる。【選択図】　　　図１
2004011149.tif 000002
【特許請求の範囲】
【請求項１】
左雪止め体と右雪止め体とは、それぞれ、底面と、その両側が立ち上げられた起立面とから形成されていて、上方に開口する形状をしており、底面には、一側から延出された固定部が設けられており、各起立面には穴があけられており、左右の雪止め体が、固定部を外側方向にして、それぞれの起立面同士が当接され、穴同士が合わせられており、該穴に挿入された固定具を介して組み合わせられて成る雪止め具。
【発明の詳細な説明】
【０００１】
【発明の属する技術分野】
本願は、屋根の上に固定される雪止め具に関するものである。
【０００２】
【従来の技術】
金属製屋根材には、横段葺き、瓦状、縦葺きなどといったものがあるが、それぞれの屋根材に応じた雪止め具を選定して使っていた。
【０００３】
【発明が解決しようとする課題】
雪止め具を使い回しすることができず、各種屋根材に応じた雪止め具が必要なので、雪止め具を何種類も準備しなければならずコストがかかっていた。
本願は、このような課題を解決するため、いろいろな屋根材に用いることができる雪止め具を提供する。
【０００４】
【課題を解決するための手段】
本願の雪止め具は、左右の雪止め体を固定具で組み合わせて成っている。左右に配置される左雪止め体と右雪止め体とは、それぞれ、底面と、その両側が立ち上げられた起立面とから形成されていて、上方に開口する形状をしている。
そして、底面には、一側から延出された固定部が設けられており、各起立面には穴があけられている。穴は、固定具を挿入することができる円形または四角形の穴、もしくは固定具を挿入して摺動することができる長穴である。
左雪止め体と右雪止め体とは、固定部を外側方向にして、それぞれの起立面同士が当接されて、穴同士または穴と長穴同士が合わせられており、その穴に挿入された固定具を介して組み合わせられている。
【０００５】
【発明の実施の形態】
左雪止め体と右雪止め体とが、固定部を外側方向にして、それぞれの起立面同士が当接され、穴同士が合わせられており、その穴に挿入された固定具を介して組み合わせられて雪止め具を成しているが、次のような実施の形態がある。
まず、配置されたときに、底部をはさんで軒側と棟側となる起立面において、固定部側とは反対側であって、雪止め具の中心部分となる箇所に穴があけられた雪止め体がある。
この雪止め体を左雪止め体と右雪止め体として、それぞれ固定部を外側方向にし、軒側となる起立面同士及び棟側となる起立面同士を当接させ、それぞれの穴を合わせる。そして、そこにボルトを貫通させてナットで固定する。この場合には、ボルトを介して左右の雪止め体が回動し、上下に動き、固定部の位置を調整できる。
他の実施の形態として、起立面において、一方の起立面には、固定部側とは反対側であって、雪止め具の中心部分となる箇所に穴をあけ、他方の起立面には、雪止め具の中心部分から固定部方向に向かって長穴をあけた雪止め体がある。
この雪止め体を左雪止め体と右雪止め体として、それぞれ固定部を外側方向にし、左右の雪止め体において、穴のあけられた起立面と長穴のあけられた起立面とを当接させ、それぞれの穴と長穴とを合わせる。そして、そこにボルトを貫通させてナットで固定する。この場合には、ボルトを介して左右の雪止め体が長穴に添って摺動し、固定部の位置を調整できる。
【０００６】
【実施例】
本願の実施例について、図１から図７に基づいて説明する。図１は、本願の雪止め具１の第一実施例を示す説明図であり、図２は雪止め具１の第二実施例を示す説明図であり、図３（ア）（イ）及び図４は第一実施例の雪止め具１を用いた場合の施工状態を示す説明図であり、図５（ア）（イ）及び図６は第二実施例の雪止め具１を用いた場合の施工状態を示す説明図であり、図７は、第一実施例の雪止め具１を、屋根材４を施工しながら取り付ける場合の説明図である。
【０００７】
まず、図１により、第一実施例の雪止め具１について説明する。この雪止め具１は、同形である雪止め体を左雪止め体１ａと右雪止め体１ｂとして組み合わせて一対で用いる。左雪止め体１ａ及び右雪止め体１ｂは、上方に開口する形状であり、底面１２と、底面１２の両側であって、施工後に軒側と棟側となる側を立ち上げた起立面１１・１１とを形成している。起立面１１・１１の上部と下部は、円弧を描いている。また、底面１２の一側であって施工後に外側方向となる側を延出させて、屋根面に固定するための固定部１２ａを形成している。さらに、底部１２は、固定部１２ａと反対側は切り欠かれており、左雪止め体１ａと右雪止め体１ｂのそれぞれの起立面１１・１１が当接し、入り込むことができるようになっている。
【０００８】
さらに、左雪止め体１ａと右雪止め体１ｂの起立面１１・１１が組み合わせられて、その起立面１１・１１に形成された穴１３同士が合わせられ、ボルト２が挿入されており、そのボルト２を介して左右の雪止め体１ａ・１ｂが上下に動くようになっている。
別の表現をすると、左雪止め体１ａと右雪止め体１ｂとは、底部１２をはさんで軒側と棟側となる起立面１１・１１において、固定部１２ａ側とは反対側であって、雪止め具１の中心部分となる箇所に穴１３があけられている。
そして、軒側となる起立面１１・１１同士及び棟側となる起立面１１・１１同士を当接させ、それぞれの穴１３・１３を合わせる。そして、そこにボルト２を貫通させてナット３で固定する。ボルト２を軸として、それぞれが回動可能になっているので、取り付ける屋根面に合わせて、固定部１２ａを適切な角度にしてからナット３で締め付けるのである。左雪止め体１ａと右雪止め体１ｂとが上下に動くことで、それぞれの固定部１２ａの位置も変わる。このため、本実施例の雪止め具１をいろいろな屋根材に用いることができる。
【０００９】
その施工状態を、図３（ア）（イ）及び図４により説明する。図３（ア）は、屋根材４が横葺き屋根または縦葺き屋根である場合を示している。縦葺き屋根の場合には、図中の屋根材４を溝板と考えるとよい。（イ）は、屋根面が平らとなる屋根材４に用いた場合を示している。
いずれの場合にも、雪止め具１が取り付けられる屋根面が平らなので、固定部１２ａ・１２ａの角度はほぼ水平であり、左雪止め体１ａと右雪止め体１ｂとがほぼ半円のような弧を描いている。
このように、左雪止め体１ａと右雪止め体１ｂとを、所定の角度にしたならば、ボルト２をナット３で締め付けて固定し、雪止め具１を屋根材４に取り付ける。
雪止め具１の取り付けは、接着剤で行うとよい。屋根材４を施工した後から取り付けることができるので時期を選ばないし、接着剤さえあればよいので特殊な技術が不要だからである。
【００１０】
次に、図４により、屋根材４が金属成型瓦である場合を説明する。本願の雪止め具１は、ボルト２を介して左雪止め体１ａと右雪止め体１ｂとが回動可能である。従って、図４に示した通り、山部４１にも谷部４２にも取り付けることができる。
山部４１に取り付ける場合には、左雪止め体１ａと右雪止め体１ｂとを内側方向に向かって、すぼめるように動かして、山部４１の形状に合わせた角度にして固定する。
谷部４２に取り付ける場合には、左雪止め体１ａと右雪止め体１ｂとを外側方向に向かって、開くように動かして、谷部４２の形状に合わせた角度にして固定する。
金属成型瓦の場合にも、接着剤で固定するとよい。しかし、山部４１に取り付ける場合に、パッキン材やシーリング材などで雨漏りしないようにするならば、止着具で固定してもよい。
【００１１】
続いて、図２により、本願の第二実施例について説明する。この雪止め具１も、同形である左雪止め体１ａと右雪止め体１ｂを組み合わせて一対で用いる。左雪止め体１ａ及び右雪止め体１ｂは、上方に開口する形状であり、底面１２と、底面１２の両側であって、施工後に軒側と棟側となる側を立ち上げた起立面１１・１１とを形成している。起立面１１・１１の上部と下部は、円弧を描いている。また、底面１２の一側であって施工後に外側方向となる側を延出させて、屋根面に固定するための固定部１２ａを形成している。
さらに、１つの雪止め体に形成されている一対の起立面１１・１１のうち、一方には穴１３があいており、他方には長穴１４が形成されている。そして、穴１３と長穴１４とにボルト２が挿入されて、左雪止め体１ａと右雪止め体１ｂの起立面１１・１１が組み合わせられており、そのボルト２を介して左右の雪止め体１ａ・１ｂが長穴１４とボルト２によって、長穴１４に添って摺動するようになっている。
【００１２】
この仕組みについて詳述する。左雪止め体１ａと右雪止め体１ｂとは、ボルト２によって組み合わせられて一対となっている。そして、長穴１４とボルト２によって、それぞれが円弧状の長穴１４に添って摺動可能になっているのである。
一方の起立面１１には、固定部１２ａ側とは反対側であって、雪止め具１の中心部分となる箇所に穴１３があけられていて、他方の起立面１１には、雪止め具１の中心部分から固定部１２ａ方向に向かって長穴１４があけられている。このような雪止め体を、左雪止め体１ａと右雪止め体１ｂとして用いるのである。
このとき、それぞれ固定部１２ａを外側方向にし、左右の雪止め体において、穴１３のあけられた起立面１１と長穴１４のあけられた起立面１４とを当接させ、それぞれの穴１３と長穴１４とを合わせる。そして、そこにボルト２を貫通させてナット３で固定する。この場合には、ボルト２を介して左雪止め体１ａと右雪止め体１ｂとが摺動し、固定部１２ａ・１２ａの位置を調整できる。
左雪止め体１ａと右雪止め体１ｂとが円弧状の長穴１４に添って動くことで、それぞれの固定部１２ａの角度も変わる。このため、本実施例の雪止め具１も、いろいろな屋根材に用いることができる。
【００１３】
その施工状態を、図５（ア）（イ）及び図６により説明する。図５（ア）は、屋根材４が横葺き屋根または縦葺き屋根である場合を示している。縦葺き屋根の場合には、図中の屋根材４を溝板と考えるとよい。（イ）は、屋根面が平らとなる屋根材４に用いた場合を示している。
いずれの場合にも、雪止め具１が取り付けられる屋根面が平らなので、固定部１２ａ・１２ａの角度はほぼ水平であり、左雪止め体１ａと右雪止め体１ｂとがほぼ半円のような弧を描いている。
このように、左雪止め体１ａと右雪止め体１ｂとを、所定の角度にしたならば、ボルト２をナット３で締め付けて固定し、雪止め具１を屋根材４に取り付ける。
雪止め具１の取り付けは、接着剤で行うとよい。屋根材４を施工した後から取り付けることができるので時期を選ばないし、接着剤さえあればよいので特殊な技術が不要だからである。
【００１４】
次に、図６により、屋根材４が金属成型瓦である場合を説明する。本願の雪止め具１は、穴１３から挿入されたボルト２と長穴１４によって左雪止め体１ａと右雪止め体１ｂとが摺動可能である。従って、図６に示した通り、固定部１２ａの先端が下向きとなるような角度である山部４１の脇の傾斜面にも、固定部１２ａの先端が上向きとなるような角度である谷部４２にも取り付けることができる。
山部４１をまたいで傾斜面に取り付ける場合には、左雪止め体１ａと右雪止め体１ｂとを長穴１４に添って外側方向に向かって動かす。そうすると、ボルト２が長穴１４に添って左雪止め体１ａの固定部１２ａ側から、雪止め具１の中心部分に向かって動き、左雪止め体１ａと右雪止め体１ｂとが開くような形になって、より長い円周の円弧を描くようになる。こうして、左雪止め体１ａの起立面１１の右側であって、右雪止め体１ｂの左側となる位置に、それぞれの雪止め体を動かし、ボルト２をナット３を締め付けて固定して雪止め具１を成す。本実施例の場合には、ボルト２の位置は、雪止め具１の中心部分となっている。
【００１５】
谷部４２に取り付ける場合には、左雪止め体１ａと右雪止め体１ｂとを長穴１４に添って、起立面１１同士がほぼ全体的に重なるように動かし、谷部４２の形状に合わせた角度にして固定する。
このとき、左雪止め体１ａと右雪止め体１ｂとを長穴１４に添ってすぼめるようにして動かす。そうすると、ボルト２が長穴１４に添って、雪止め具１の中心部分から左雪止め体１ａの固定部１２ａに向かって動き、より短い円周の円弧を描くようになる。こうして、左雪止め体１ａの起立面１１の左側であって、右雪止め体１ｂの起立面１１の左側でもある位置にそれぞれの雪止め体を動かし、谷部４２に合った角度にして、ボルト２をナット３を締め付けて固定して雪止め具１を成す。
【００１６】
図７は、屋根材４を施工しながら雪止め具１を取り付ける場合を示している。本願の雪止め具１は、固定部１２ａの位置を調整することができるので、これまで、屋根材４施工後に、屋根材４に合わせて取り付ける場合を説明してきた。しかし、図７に示したように、いわゆる先付けの雪止め具１として、屋根材４を施工しながら取り付けることもできる。
図７の雪止め具１は、図１に示した第一実施例のものであるが、屋根材４として金属成型瓦に用いた場合を示している。本実施例の場合には、左雪止め体１ａと右雪止め体１ｂとを所定の角度にしてボルト２を締め付けて固定したあとで、雪止め具取り付け金具６に固定して用いている。
雪止め具取り付け金具６の形状は、谷部４２に接地する面と、そこから延出して桟木５をまたぐように下向きに開口する形状とを有するものとなっている。この雪止め具取り付け金具６に、雪止め具１の固定部１２ａ・１２ａを固定する。そして、下の段に施工されている屋根材４の谷部４２に雪止め具取り付け金具６を載せて桟木５にまたがせ、桟木５の棟側側面に止着具で固定する。次に、上の段に施工する屋根材４をかぶせていく。このように、雪止め具１を後から取り付けるのではなく、屋根材４を施工しながら取り付けていくこともできる。
【００１７】
これまで述べた通り、本願の雪止め具１は、左雪止め体１ａと右雪止め体１ｂとを組み合わせて成っており、固定部１２ａの位置を変えることができる。従って、左雪止め体１ａと右雪止め体１ｂが動き、固定部１２ａが対応できる範囲で、さまざまな屋根材４に取り付けることができる。窯業系の瓦に取り付けることもできる。
施工後に、必要な箇所に取り付けることもできるし、屋根材４を施工しながら取り付けることもできる。
尚、これまで述べた実施例に用いている固定具はボルト２であり、しかも角根丸頭ボルトである。これは、四角形の穴１３と組み合わせることで、ナット３を締め付けるときに、ボルト２の回り止めとなって共回りしないからである。しかし、他の固定具を用いてもよい。
【００１８】
【発明の効果】
従来は、雪止め具を使い回しすることができず、屋根材に応じた雪止め具が必要なので、雪止め具を何種類も準備しなければならずコストがかかっていた。
しかし、本願によれば、１つの雪止め具をいろいろな屋根材に用いることができる。
【図面の簡単な説明】
【図１】本願の雪止め具１の第一実施例を示す説明図である。
【図２】本願の雪止め具１の第二実施例を示す説明図である。
【図３】（ア）（イ）は第一実施例の雪止め具１を用いた場合の施工状態を示す説明図である。
【図４】第一実施例の雪止め具１を用いた場合の施工状態を示す説明図である。
【図５】（ア）（イ）は第二実施例の雪止め具１を用いた場合の施工状態を示す説明図である。
【図６】第二実施例の雪止め具１を用いた場合の施工状態を示す説明図である。
【図７】第一実施例の雪止め具１を、屋根材を施工しながら取り付ける場合の説明図である。
【符号の説明】
１　　　雪止め具
１ａ　　左雪止め体
１ｂ　　右雪止め体
１１　　起立面
１２　　底面
１２ａ　固定部
１３　　穴
１４　　長穴
２　　　ボルト
３　　　ナット
４　　　屋根材
４１　　山部
４２　　谷部
５　　　桟木
６　　　雪止め具取り付け金具
【図１】
2004011149.tif 000003
【図２】
2004011149.tif 000004
【図３】
2004011149.tif 000005
【図４】
2004011149.tif 000006
【図５】
2004011149.tif 000007
【図６】
2004011149.tif 000008
【図７】
2004011149.tif 000009